(57)【要約】【課題】  据付設置後の空気調和機の室内機本体の点検、保守等を行なう場合にドレンホースを容易に取り付け取り外しすることができる空気調和機を提供することである。【解決手段】  空気調和機（室内機）１００は本体の背面部側にドレン排出口１４０を有する。ドレンジョイント４０は本体の前面部側から背面部側へ延びるように配置され、ドレン排出口１４０に接続されている。ドレンジョイント４０を本体に取り付けるための取り付け用ねじ穴１６１はドレン排出口１４０よりも前面部側に位置づけられている。ビス６０はドレン排出口１４０にドレンジョイント４０を接続して本体に固定するために取り付け用ねじ穴１６１に固着される。ドレンホース１０はドレンジョイント４０に接続されている。ビス５０はドレンジョイント４０にドレンホース１０を接続して固定するためのものである。【選択図】        図１０
2005147433.tif 000002
【特許請求の範囲】
【請求項１】
前面部と背面部とを含み、背面部側にドレン排出口を有する本体と、
前記本体の前面部側から背面部側へ延びるように配置され、前記ドレン排出口に接続された介在部材と、
を備え、
前記介在部材を前記本体に取り付けるための取り付け部は、前記本体のドレン排出口よりも前面部側に位置づけられており、さらに、
前記ドレン排出口に前記介在部材を接続して前記本体に固定するために前記取り付け部に固着される第１の固着部材と、
前記介在部材に接続されたドレンホースと、
前記介在部材に前記ドレンホースを接続して固定するための第２の固着部材と、
を備える、空気調和機。
【請求項２】
前記介在部材は管状基部と突出部とを含み、前記管状基部の一方端に前記ドレン排出口に接続される第１の接続口と、前記管状基部の他方端に前記ドレンホースに接続される第２の接続口とを有し、前記突出部は前記第１の接続口から前記本体の前面部側へ延びるように形成されている、請求項１に記載の空気調和機。
【請求項３】
前記第１の固着部材に係合する係合部が前記介在部材の突出部の端部に形成されている、請求項２に記載の空気調和機。
【請求項４】
前記第２の固着部材に係合する係合部が前記介在部材の管状基部に配置されている、請求項３に記載の空気調和機。
【請求項５】
前面部と背面部とを含み、背面部側に第１と第２のドレン排出口を有する本体と、
前記本体の前面部側から背面部側へ延びるように配置され、前記第１のドレン排出口に接続された第１の介在部材と、
前記本体の前面部側から背面部側へ延びるように配置され、前記第２のドレン排出口に接続された第２の介在部材と、
を備え、
前記第１と第２の介在部材を前記本体に取り付けるための第１と第２の取り付け部は、前記本体の第１と第２のドレン排出口よりも前面部側に位置づけられており、さらに、
前記第１のドレン排出口に前記第１の介在部材を接続して前記本体に固定するために前記第１の取り付け部に固着される第１の固着部材と、
前記第２のドレン排出口に前記第２の介在部材を接続して前記本体に固定するために前記第２の取り付け部に固着される第２の固着部材と、
前記第１の介在部材に接続されたドレンホースと、
前記第１または第２の介在部材のいずれかに前記ドレンホースを接続して固定するための第３の固着部材と、
前記第２の介在部材に接続されたキャップ部材と、
を備える、空気調和機。
【請求項６】
前記第１と第２の介在部材の各々は管状基部と突出部とを含み、前記管状基部の一方端に前記ドレン排出口に接続される第１の接続口と、前記管状基部の他方端に前記ドレンホースに接続される第２の接続口とを有し、前記突出部は前記第１の接続口から前記本体の前面部側へ延びるように形成されている、請求項５に記載の空気調和機。
【請求項７】
前記第１と第２の各々の固着部材に係合する係合部が前記第１と第２の各々の介在部材の突出部の端部に形成されている、請求項６に記載の空気調和機。
【請求項８】
前記第３の固着部材に係合する係合部が前記第１と第２の介在部材の各々の管状基部に配置されている、請求項７に記載の空気調和機。
【請求項９】
空気調和機本体の前面部側から背面部側へ延びるように配置することができ、前記本体の背面部側に配置されたドレン排出口に接続することが可能な介在部材と、
前記ドレン排出口に前記介在部材を接続して前記本体に固定するために前記本体のドレン排出口よりも前面部側に位置づけられた取り付け部に固着することが可能な第１の固着部材と、
前記介在部材に接続することが可能なドレンホースと、
前記介在部材に前記ドレンホースを接続して固定するための第２の固着部材と、
を備える、空気調和機用ドレンホース接続装置。
【請求項１０】
前記介在部材は管状基部と突出部とを含み、前記管状基部の一方端に前記ドレン排出口に接続される第１の接続口と、前記管状基部の他方端に前記ドレンホースに接続される第２の接続口とを有し、前記第１の接続口を前記ドレン排出口に接続したときに前記突出部が前記第１の接続口から前記本体の前面部側へ延びるように形成されている、請求項９に記載の空気調和機用ドレンホース接続装置。
【請求項１１】
前記第１の固着部材に係合する係合部が前記介在部材の突出部の端部に形成されている、請求項１０に記載の空気調和機用ドレンホース接続装置。
【請求項１２】
前記第２の固着部材に係合する係合部が前記介在部材の管状基部に配置されている、請求項１１に記載の空気調和機用ドレンホース接続装置。
【発明の詳細な説明】
【技術分野】
【０００１】
この発明は、空気調和機と空気調和機用ドレンホース接続装置に関し、特定的には空気調和機におけるドレンホースを接続固定させるための構造に関するものである。
【背景技術】
【０００２】
空気調和機の室内機では、冷房運転時において凝縮水が熱交換器で発生し、その下に配置されたドレンパンに流れ込む。従来から、この凝縮水を室外に排出するためにドレンホースがドレンパンに接続されている。空気調和機を製品として出荷する際には、ドレンホースは室内機本体の背面部の左後方または右後方の排出口に予め取り付けられている。
【０００３】
室内機本体は、その背面部を室内の壁面に固着することによって据付けられて設置される。この据付工事の際には、室内機本体の設置場所または設置位置、配管を室外に導く方法または形態等に対応するために室内機本体の背面部に予め取り付けられたドレンホースを左後方から右後方、あるいは右後方から左後方に付け替える必要が生じる場合がある。この場合、室内機本体の背面側からドレンホースの付け替え作業が行なわれるように構成されているのが通常である。しかし、室内機を一旦据え付けた後にアフターサービスを行なうときには、室内機本体の背面部の排出口近傍の隙間が狭いため、作業者が手を入れ難く、ドレンホースを取り外すことが困難であり、メンテナンスのために室内機を壁面から取り外す場合に作業性が悪いという問題があった。
【０００４】
この問題点を解決するために、ドレンパン背面左右に形成した排水口の一方から他方にドレンホースを付け替える作業を容易にした空気調和機の室内ユニットが、たとえば、特開平７−２９３９２４号公報（特許文献１）で提案されている。この空気調和機の室内ユニットは、ケーシング内に熱交換器及びこの熱交換器の下方にドレンパンを設け、このドレンパンの背面左右に形成した排水口のいずれか一方にドレンパイプを接続し、ドレンを外部に排出するようにした空気調和機の室内ユニットにおいて、ケーシングの排水口近傍に開口を設け、その開口に着脱可能なカバーを設けたことを特徴とするものである。
【０００５】
また、ドレンホースをドレン排出口にワンタッチで固定接続するようにした空気調和機の室内ユニットが、たとえば、特開平９−１１２９４８号公報（特許文献２）で提案されている。この空気調和機の室内ユニットは、熱交換器の下方に配置されるドレンパンのドレン排出口に係合爪を有し、その係合爪とドレンホースの接続口部材に設けられた係合爪との係合によりドレンホースがドレン排出口に固定接続されることを特徴とするものである。
【特許文献１】特開平７−２９３９２４号公報
【特許文献２】特開平９−１１２９４８号公報
【発明の開示】
【発明が解決しようとする課題】
【０００６】
しかしながら、上記のいずれの空気調和機の室内機においても、ドレンホースの取り付け取り外しは室内機の背面部側で行なわなければならない。このため、室内機本体の点検、保守等を行なうために、まず、室内機本体の背面部と室内の壁面との間の狭い空間に手を入れてドレンホースを取り外す必要があった。室内機本体の設置位置によっては、この作業は高所で行なうことになるので、危険を伴うことになり、また一人で行なうのが困難であった。
【０００７】
また、室内機本体の設置位置によっては、ドレンホースを取り外す作業を行なうだけの目的のために室内機の他の構成部品を取り外す、または室内機本体を室内の壁から取り外しながら室内機本体を持ち上げた状態でドレンホースを取り外す必要があった。このため、室内機本体の点検、保守等を行なうために手間のかかる余分な作業が必要となり、作業性が悪いという問題があった。
【０００８】
さらに、室内機本体の点検、保守等の作業が終了した後においても、ドレンホースを取り付けるためには上記と逆の作業を行なう必要があり、危険、困難または余分な作業を伴うので作業性が悪いという問題があった。
【０００９】
そこで、この発明の一つの目的は、据付設置後の空気調和機の室内機本体の点検、保守等を行なう場合にドレンホースを容易に取り付け取り外しすることができる空気調和機を提供することである。
【００１０】
また、この発明のもう一つの目的は、据付設置後の空気調和機の室内機本体の点検、保守等を行なう場合にドレンホースを容易に取り付け取り外しすることができる空気調和機用ドレンホース接続装置を提供することである。
【課題を解決するための手段】
【００１１】
この発明の一つの局面に従った空気調和機は、本体と介在部材とを備える。本体は、前面部と背面部とを含み、背面部側にドレン排出口を有する。介在部材は、本体の前面部側から背面部側へ延びるように配置され、ドレン排出口に接続されている。介在部材を本体に取り付けるための取り付け部は、本体のドレン排出口よりも前面部側に位置づけられている。さらに、空気調和機は、第１の固着部材とドレンホースと第２の固着部材とを備える。第１の固着部材は、ドレン排出口に介在部材を接続して本体に固定するために取り付け部に固着される。ドレンホースは介在部材に接続されている。第２の固着部材は、介在部材にドレンホースを接続して固定するためのものである。
【００１２】
この発明の一つの局面に従った空気調和機においては、ドレン排出口に接続される介在部材は、ドレン排出口よりも前面部側に位置づけられた取り付け部に第１の固着部材によって固定されている。介在部材は本体の前面部側から背面部側へ延びるように配置され、ドレンホースに第２の固着部材によって接続固定されている。本発明の空気調和機は上記のように構成されているので、設置後に本体の点検、保守等を行なう場合、前面部側に位置づけられた取り付け部から第１の固着部材を取り外すことによって、介在部材とともにドレンホースを取り外すことができる。本体の点検、保守等が終了した後においても、前面部側に位置づけられた取り付け部に第１の固着部材を取り付けることによって、介在部材とともにドレンホースを取り付けることができる。このため、介在部材を前面側から取り付け取り外しするだけでドレンホースを取り付け取り外しすることができるので、背面部側で作業を行なう必要がなくなる。したがって、本体の点検、保守等でドレンホースを取り外し取り付ける必要がある場合、その作業を容易に行なうことができる。
【００１３】
なお、ドレンホースは第２の固着部材によって介在部材に接続固定されているので、第２の固着部材を取り外すことによってドレンホースのみを取り外すことができる。このため、ドレンホースの取り付け取り外しを本体の背面部側で行なうこともできる。
【００１４】
この発明の一つの局面に従った空気調和機においては、介在部材は管状基部と突出部とを含むのが好ましい。介在部材は、管状基部の一方端にドレン排出口に接続される第１の接続口と、管状基部の他方端にドレンホースに接続される第２の接続口とを有するのが好ましい。また、突出部は第１の接続口から本体の前面部側へ延びるように形成されているのが好ましい。この場合、突出部を形成することにより、ドレン排出口の位置から、より前面部側に介在部材の取り付け部を設けることができる。このため、本体の据付設置後におけるドレンホースの取り付け取り外しを、本体のドレン排出口の位置から、より前面側で行なうことができる。
【００１５】
また、この発明の一つの局面に従った空気調和機においては、第１の固着部材に係合する係合部が介在部材の突出部の端部に形成されているのが好ましい。この場合、係合部を突出端部に形成することにより、ドレン排出口の位置から、より前面部側に介在部材の取り付け部を設けることができる。このため、本体の据付設置後におけるドレンホースの取り付け取り外しを、本体のドレン排出口の位置から、より前面側で行なうことができる。
【００１６】
さらに、この発明の一つの局面に従った空気調和機においては、第２の固着部材に係合する係合部が介在部材の管状基部に配置されているのが好ましい。この場合、ドレンホースと介在部材との間での取り付け取り外しを本体の背面部から離れて行なうことができる。このため、介在部材を本体の背面部側の排出口に取り付けたままの状態で、本体の背面部に触れずにドレンホースだけを取り付け取り外しすることができる。
【００１７】
この発明のもう一つの局面に従った空気調和機は、本体と第１と第２の介在部材とを備える。本体は、前面部と背面部とを含み、背面部側に第１と第２のドレン排出口を有する。第１の介在部材は、本体の前面部側から背面部側へ延びるように配置され、第１のドレン排出口に接続されている。第２の介在部材は、本体の前面部側から背面部側へ延びるように配置され、第２のドレン排出口に接続されている。第１と第２の介在部材を本体に取り付けるための第１と第２の取り付け部は、本体の第１と第２のドレン排出口よりも前面部側に位置づけられている。さらに、空気調和機は、第１と第２の固着部材とドレンホースと第３の固着部材とキャップ部材とを備える。第１の固着部材は、第１のドレン排出口に第１の介在部材を接続して本体に固定するために第１の取り付け部に固着されている。第２の固着部材は、第２のドレン排出口に第２の介在部材を接続して本体に固定するために第２の取り付け部に固着されている。ドレンホースは第１の介在部材に接続されている。第３の固着部材は、第１または第２の介在部材のいずれかにドレンホースを接続して固定するためのものである。キャップ部材は第２の介在部材に接続されている。
【００１８】
この発明のもう一つの局面に従った空気調和機においては、この発明の一つの局面に従った空気調和機によって得られる上述の作用効果に加えて、次のような作用効果を得ることができる。空気調和機本体の据付工事の際には、本体の設置場所または設置位置、配管を室外に導く方法または形態等に対応するために、本体の背面部においてドレンホースが第１の介在部材を介して第１の排出口に予め取り付けられている場合、ドレンホースを第２の排出口に付け替える必要が生じる場合がある。すなわち、本体の設置時に設置位置の現場に応じてドレンホースを第１のドレン排出口から第２の排出口に付け替える必要がある。このとき、第２のドレン排出口に接続された第２の介在部材からキャップを取り外し、第３の固着部材を外すことにより、第１のドレン排出口に接続された第１の介在部材からドレンホースを取り外す。そして、第３の固着部材を用いて、第２のドレン排出口に接続された第２の介在部材にドレンホースを取り付け、第１のドレン排出口に接続された第１の介在部材にキャップを取り付ける。本体の前面部側の構成部材を取り外すことなく、このドレンホースを付け替える作業を本体の背面部側で容易に行なうことができる。
【００１９】
なお、本体を据付設置した後でも、ドレンホースが第１の介在部材を介して第１の排出口に予め取り付けられている場合、前面部側に位置づけられた第１の取り付け部から第１の固着部材を取り外すことによって、第１の介在部材とともにドレンホースを第１の排出口から取り外すことができる。また、前面部側に位置づけられた第２の取り付け部から第２の固着部材を取り外すことによって、第２の介在部材とともにキャップ部材を第２の排出口から取り外すことができる。そして、前面部側に位置づけられた第２の取り付け部に第１の固着部材を取り付けることによって、第１の介在部材とともにドレンホースを第２の排出口に取り付けることができる。また、前面部側に位置づけられた第１の取り付け部に第２の固着部材を取り付けることによって、第２の介在部材とともにキャップ部材を第１の排出口に取り付けることができる。このようにして、設置位置の現場に応じて、据付設置後でも本体の前面部側でドレンホースを第１のドレン排出口から第２の排出口に付け替えることができる。
【００２０】
この発明のもう一つの局面に従った空気調和機においては、第１と第２の介在部材の各々は管状基部と突出部とを含むのが好ましい。第１と第２の介在部材の各々は、管状基部の一方端にドレン排出口に接続される第１の接続口と、管状基部の他方端にドレンホースに接続される第２の接続口とを有するのが好ましい。また、突出部は第１の接続口から本体の前面部側へ延びるように形成されているのが好ましい。この場合、突出部を形成することにより、ドレン排出口の位置から、より前面部側に第１と第２の介在部材の取り付け部を設けることができる。このため、本体の据付設置後におけるドレンホースまたはキャップ部材の取り付け取り外しを、本体のドレン排出口の位置から、より前面側で行なうことができる。
【００２１】
また、この発明のもう一つの局面に従った空気調和機においては、第１と第２の各々の固着部材に係合する係合部が第１と第２の各々の介在部材の突出部の端部に形成されているのが好ましい。この場合、係合部を突出端部に形成することにより、ドレン排出口の位置から、より前面部側に介在部材の取り付け部を設けることができる。このため、本体の据付設置後におけるドレンホースまたはキャップ部材の取り付け取り外しを、本体のドレン排出口の位置から、より前面側で行なうことができる。
【００２２】
さらに、この発明のもう一つの局面に従った空気調和機においては、第３の固着部材に係合する係合部が第１と第２の介在部材の各々の管状基部に配置されているのが好ましい。この場合、ドレンホースまたはキャップ部材と第１または第２の介在部材との間での取り付け取り外しを本体の背面部から離れて行なうことができる。このため、第１と第２の介在部材を本体の背面部側の排出口に取り付けたままの状態で、本体の背面部に触れずにドレンホースだけ、またはキャップ部材だけを取り付け取り外しすることができる。
【００２３】
この発明の別の局面に従った空気調和機用ドレンホース接続装置は、介在部材と第１の固着部材とドレンホースと第２の固着部材とを備える。介在部材は、空気調和機本体の前面部側から背面部側へ延びるように配置することができ、本体の背面部側に配置されたドレン排出口に接続することが可能である。第１の固着部材は、ドレン排出口に介在部材を接続して本体に固定するために本体のドレン排出口よりも前面部側に位置づけられた取り付け部に固着することが可能である。ドレンホースは、介在部材に接続することが可能である。第２の固着部材は、介在部材にドレンホースを接続して固定するためのものである。
【００２４】
この発明の空気調和機用ドレンホース接続装置を用いることにより、本発明の一つの局面に従った空気調和機によって得られる上述の作用効果と同様の作用効果を達成することができる。
【００２５】
この発明の別の局面に従った空気調和機用ドレンホース接続装置においては、介在部材は管状基部と突出部とを含むのが好ましい。介在部材は、管状基部の一方端にドレン排出口に接続される第１の接続口と、管状基部の他方端にドレンホースに接続される第２の接続口とを有するのが好ましい。また、第１の接続口をドレン排出口に接続したときに突出部が第１の接続口から本体の前面部側へ延びるように形成されているのが好ましい。
【００２６】
また、この発明の別の局面に従った空気調和機用ドレンホース接続装置においては、第１の固着部材に係合する係合部が介在部材の突出部の端部に形成されているのが好ましい。
【００２７】
さらに、この発明の別の局面に従った空気調和機用ドレンホース接続装置においては、第２の固着部材に係合する係合部が介在部材の管状基部に配置されているのが好ましい。
【発明の効果】
【００２８】
以上のように、この発明によれば、据付設置後の空気調和機の室内機本体の点検、保守等を行なう場合にドレンホースを本体の前面部側で容易に取り付け取り外しすることができる。
【発明を実施するための最良の形態】
【００２９】
以下、この発明の一つの実施の形態を図に基づいて説明する。
【００３０】
図１は、本発明の一つの実施の形態として空気調和機の室内機の概略的な外観を示す斜視図である。図１に示すように、空気調和機（室内機）１００の筐体は、前面部側では開閉自在のオープンパネル１１０と、オープンパネル１１０が取り付けられた前カバー１２０とから構成され、背面部側では熱交換器、送風機ファン等を収容するキャビネット１３０から構成される。
【００３１】
図２は本発明の一つの実施の形態としてドレンホースが接続されていない状態の空気調和機の室内機の背面部を示す斜視図、図３はその室内機の背面部の左側を拡大して示す部分拡大斜視図、図４はその室内機の背面部の右側を拡大して示す部分拡大斜視図である。
【００３２】
図２〜図４に示すように、空気調和機（室内機）１００のキャビネット１３０の背面部側では、左側に第１の排出口としてのドレン排出口（左）１４０が設けられ、右側に第２の排出口としてのドレン排出口（右）１５０が設けられている。ドレン排出口（左）１４０とドレン排出口（右）１５０は、空気調和機（室内機）１００の熱交換器の下に配置されたドレンパンに設けられている。冷房運転時において空気調和機（室内機）１００内の熱交換器で発生した凝縮水が、熱交換器の下に配置されたドレンパンに流れ込み、ドレン排出口（左）１４０とドレン排出口（右）１５０から排出できるようになっている。
【００３３】
図５は、本発明の一つの実施の形態としてドレンホースとキャップ部材とが接続された状態の空気調和機の室内機の背面部を示す斜視図である。
【００３４】
図５に示すように、空気調和機（室内機）１００を製品として出荷する際には、たとえば、キャビネット１３０の背面部側の左側ではドレン排出口（左）１４０にドレンホース１０が左後方に延びるように接続されて固定されている。他方、キャビネット１３０の背面部側の右側ではドレン排出口（右）１５０にキャップ２０が右後方に延びるように挿入されて固定されている。
【００３５】
図６は本発明の一つの実施の形態としてドレンホースが接続された状態の空気調和機の室内機の背面部の左側を拡大して示す部分拡大斜視図、図７はその室内機の背面部側から見た左側面を室内機の部分断面とともに拡大して示す部分拡大左側面図である。
【００３６】
図６と図７に示すように、本体としての空気調和機（室内機）１００には熱交換器の下にドレンパン１６０が設けられている。ドレンパン１６０に設けられたドレン排出口（左）１４０には第１の介在部材としてのドレンジョイント４０が接続されて固定されている。ドレンジョイント４０は空気調和機（室内機）１００本体の前面部側から背面部側へ延びるように配置されている。ドレンホース１０は、ホース押さえ３０を介在してドレンジョイント４０に接続されて固定されて空気調和機（室内機）１００の背面部の左後方に延びるように配置されている。
【００３７】
図８は本発明の一つの実施の形態としてキャップ部材が接続された状態の空気調和機の室内機の背面部の右側を拡大して示す部分拡大斜視図、図９はその室内機の背面部側から見た右側面を室内機の部分断面とともに拡大して示す部分拡大右側面図である。
【００３８】
図８と図９に示すように、ドレンパン１６０に設けられたドレン排出口（右）１５０には第２の介在部材としてのドレンジョイント４０が接続されて固定されている。ドレンジョイント４０は空気調和機（室内機）１００本体の前面部側から背面部側へ延びるように配置されている。キャップ２０はドレンジョイント４０に挿入されて固定されている。
【００３９】
図１０は、本発明の一つの実施の形態としてドレンホースが接続される空気調和機の室内機の背面部側から見た左側面を室内機の部分側面とともに分解して示す分解左側面図である。
【００４０】
図１０に示すように、ドレンパン１６０の左側面には、第１の介在部材としてのドレンジョイント４０をドレンパン１６０に取り付けるための第１の取り付け部としての取り付け用ねじ穴１６１が設けられている。ドレンパン１６０の背面部の左下方には、ドレン排出口（左）１４０がドレンパン１６０の左後方に延びるように設けられている。
【００４１】
ドレンジョイント４０は管状基部４１と突出部４５を備えている。管状基部４１の一方端には、ドレン排出口（左）１４０に接続される第１の接続口としてドレンパン側接続口４２が形成されている。管状基部４１の他方端には、ドレンホース１０に接続される第２の接続口としてホース側接続口４３が形成されている。ドレンジョイント４０のドレンパン側接続口４２をドレン排出口（左）１４０に接続したときに突出部４５がドレンパン側接続口４２からドレンパン１６０の前面部側へ延びるように形成されている。固着部材としてのビス６０は、ドレン排出口（左）１４０にドレンジョイント４０を接続してドレンパン１６０に固定するために取り付け用ねじ穴１６１にねじ込まれて固着されるために用いられる。ビス６０に係合する係合部としての取り付け用穴４７はドレンジョイント４０の突出端部４６に形成されている。管状基部４１の外周部には、ドレンホース１０を接続して固定するためのボス部４４ａ、４４ｂが形成されている。ボス部４４ａ、４４ｂのそれぞれには、固着部材としてのビス５０を挿入してねじ込むための取り付け用ねじ穴４８ａ、４８ｂが形成されている。
【００４２】
ドレンホース１０は管状の長尺体であり、一方端部にドレンジョイント４０が接続される接続口１１と、他方端部に排出口１２とが形成されている。ドレンホース１０の一方端部には首部１３が形成されている。首部１３の周囲にはホース押さえ３０がドレンホース１０を支持するように設けられる。ホース押さえ３０に形成された取り付け用穴３１にビス５０を挿入し、ドレンホース１０の接続口１１にドレンジョイント４０のホース側接続口４３を挿入して接続し、ビス５０をドレンジョイント４０のボス部４４ａの取り付け用ねじ穴４８ａに挿入してねじ込むことによって、ドレンホース１０がドレンジョイント４０に接続されて固定される。この場合、ビス５０が挿入されるボス部４４ａの取り付け用ねじ穴４８ａの位置が上になるようにしてドレンジョイント４０にドレンホース１０が接続される。
【００４３】
以上のように、この発明の一つの実施の形態として空気調和機（室内機）１００においては、ドレン排出口（左）１４０に接続される介在部材としてドレンジョイント４０は、ドレン排出口（左）１４０よりも前面部側に位置づけられた取り付け部としての取り付け用ねじ穴１６１に固着部材としてのビス６０によって固定されている。ドレンジョイント４０は空気調和機（室内機）１００の前面部側から背面部側へ延びるように配置され、ドレンホース１０に固着部材としてのビス５０によって接続固定されている。空気調和機（室内機）１００は上記のように構成されているので、設置後に本体の点検、保守等を行なう場合、前カバー１２０を取り外した状態で前面部側に位置づけられた取り付け用ねじ穴１６１からビス６０を取り外すことによって、ドレンジョイント４０とともにドレンホース１０を取り外すことができる。そして、空気調和機（室内機）１００を室内の壁面から取り外して本体の点検、保守等を行なう。本体の点検、保守等が終了した後においても、前面部側に位置づけられた取り付け用ねじ穴１６１にビス６０を取り付けることによって、ドレンジョイント４０とともにドレンホース１０を取り付けることができる。このため、ドレンジョイント４０を前面側から取り付け取り外しするだけでドレンホース１０を取り付け取り外しすることができるので、背面部側で作業を行なう必要がなくなる。したがって、本体の点検、保守等でドレンホース１０を取り外し取り付ける必要がある場合、その作業を容易に行なうことができる。この場合、ビス６０が挿入されるドレンパン１６０の取り付け用ねじ穴１６１が相対的に上方に位置づけられているので、本体の点検、保守等を行なう際にドレンホース１０の取り外し取り付けを容易に行なうことができる。また、ドレンホース１０はドレンジョイント４０を介在してドレン排出口（左）１４０に接続されるので、ドレンホース１０とドレン排出口（左）１４０の嵌め合わせの調整はドレンジョイント４０のドレンパン側接続口４２の形状を調整することによって行なうことができる。この調整は、ドレンパン１６０自体のドレン排出口（左）１４０の形状変更を伴わないので、相対的に小部品であるドレンジョイント４０の形状を変更するだけで行なうことができる。
【００４４】
なお、ドレンホース１０はビス５０によってドレンジョイント４０に接続固定されているので、ビス５０を取り外すことによってドレンホース１０のみを取り外すことができる。このため、ドレンホース１０の取り付け取り外しを本体の背面部側で行なうこともできる。特に空気調和機（室内機）１００の据付設置時に本体の背面部側でドレンホース１０を取り付け取り外しすることができる。この場合、ビス５０が挿入されるボス部４４ａの取り付け用ねじ穴４８ａの位置が上になるようにしてドレンジョイント４０にドレンホース１０が接続されるので、ビス５０の取り付け取り外しが簡単に行なわれるため、作業性が良好になる。
【００４５】
上記の実施の形態では、ドレンジョイント４０の突出部４５はドレンパン側接続口４２から本体の前面部側へ延びるように配置することができるように形成されているので、ドレン排出口（左）１４０の位置から、より前面部側にドレンジョイント４０の取り付け用ねじ穴１６１を設けることができる。このため、本体の据付設置後におけるドレンホース１０の取り付け取り外しを、本体のドレン排出口（左）１４０の位置から、より前面側で行なうことができる。
【００４６】
また、上記の実施の形態では、ビス６０に係合する取り付け用穴４７がドレンジョイント４０の突出端部４６に形成されているので、ドレン排出口（左）１４０の位置から、より前面部側にドレンジョイント４０の取り付け用ねじ穴１６１を設けることができる。このため、本体の据付設置後におけるドレンホース１０の取り付け取り外しを、本体のドレン排出口（左）１４０の位置から、より前面側で行なうことができる。
【００４７】
さらに、上記の実施の形態では、ビス５０に係合する取り付け用ねじ穴４８ａ、４８ｂがドレンジョイント４０の管状基部４１に配置されているので、ドレンホース１０とドレンジョイント４０との間での取り付け取り外しを本体の背面部から離れて行なうことができる。このため、ドレンジョイント４０を本体の背面部側のドレン排出口（左）１４０に取り付けたままの状態で、本体の背面部に触れずにドレンホース１０だけを取り付け取り外しすることができる。
【００４８】
図１１は、本発明の一つの実施の形態としてドレンホース接続装置を示す上面図（Ａ）、側面図（Ｂ）および背面図（Ｃ）である。
【００４９】
図１１に示すように、ドレンホース１０とホース押さえ３０とドレンジョイント４０が接続されて組み合わせられた状態では、空気調和機（室内機）本体の背面部側にドレンジョイント４０が配置され、その背面側から後方に延びるようにドレンホース１０が配置される。ドレンジョイント４０の突出部４５は管状基部４１の一方側（図１１の上面図（Ａ）では管状基部４１の左側、側面図（Ｂ）では管状基部４１の上側）から空気調和機（室内機）本体の背面部側に延びるように突出した腕状の形態で形成されている。突出端部４６は突出部４５からさらに突出し、突出部４５よりも肉厚が薄い板状の形態で形成されている。突出端部４６に取り付け用穴４７が形成されている。突出部４５の一方端には突出端部４６が形成され、他方端にはドレンパン側接続口４２が形成されている。図１１の背面図（Ｃ）に示すように、ドレンホース１０の排出口１２、ホース押さえ３０およびドレンジョイント４０の順に配置され、ホース押さえ３０の外周部に形成された取り付け用穴３１によって、ドレンジョイント４０の一方のボス部４４ａが被覆されてビスが挿入できるように配置され、他方のボス部４４ｂはホース押さえ３０から露出された状態にある。
【００５０】
図１２は、本発明の一つの実施の形態としてキャップ部材が接続される空気調和機の室内機の背面部側から見た右側面を室内機の部分側面とともに分解して示す分解右側面図である。
【００５１】
図１２に示すように、ドレンパン１６０の右側面には、第２の介在部材としてのドレンジョイント４０をドレンパン１６０に取り付けるための第２の取り付け部としての取り付け用ねじ穴１６２が設けられている。取り付け用ねじ穴１６２は、図１０に示す取り付け用ねじ穴１６１の位置よりも下方に配置されている。ドレンパン１６０の背面部の右下方には、ドレン排出口（右）１５０がドレンパン１６０の右後方に延びるように設けられている。
【００５２】
ドレンジョイント４０は図１０に示すものと同様の構成を備えている。ただし、突出部４５が下方に位置するようにドレンジョイント４０はドレンパン１６０に対して配置される。
【００５３】
キャップ２０は棒状の長尺体であり、一方端部にドレンジョイント４０の管状基部４１に挿入されて固定される挿入部分２１と、他方端部に蓋部分２２とを備える。キャップ２０の挿入部分２１の外周面には複数の環状突起部が形成され、その先端部２３は先細に形成されている。これにより、キャップ２０がドレンジョイント４０の管状基部４１の内部に挿入されて抜けないように固定されるようになっている。
【００５４】
図１３はキャップ接続装置を示す上面図（Ａ）および側面図（Ｂ）である。
【００５５】
図１３に示すように、キャップ２０とドレンジョイント４０が接続されて組み合わせられた状態では、空気調和機（室内機）本体の背面部側にドレンジョイント４０が配置され、その背面側から後方に延びるようにキャップ２０が配置される。図１１に示されるドレンホース１０が接続される状態と異なり、ドレンジョイント４０の突出部４５は管状基部４１の一方側（図１３の上面図（Ａ）では管状基部４１の右側、側面図（Ｂ）では管状基部４１の下側）から空気調和機（室内機）本体の背面部側に延びるように突出した腕状の形態で形成されている。このように、ドレンジョイント４０は、ドレンホース１０が接続される場合とキャップ２０が接続される場合とで配置を変更して用いられるように形成されている。突出端部４６は突出部４５からさらに突出し、突出部４５よりも肉厚が薄い板状の形態で形成されている。突出端部４６に取り付け用穴４７が形成されている。突出部４５の一方端には突出端部４６が形成され、他方端にはドレンパン側接続口４２が形成されている。図１３の側面図（Ｂ）に示すように、ドレンジョイント４０の両方のボス部４４ａ、４４ｂは露出された状態にある。
【００５６】
図１４は、本発明の一つの実施の形態として介在部材であるドレンジョイントを示す側面図（Ａ）、背面図（Ｂ）、上面図（Ｃ）および底面図（Ｄ）である。
【００５７】
図１４に示すように、ドレンジョイント４０は、中央部に管状基部４１と、一方端部に突出部４５と、他方端部にホース側接続口４３とを有する。管状基部４１の両側にドレンパン側接続口４２とホース側接続口４３とが形成されている。管状基部４１の外周部において突出部４５が形成されている側（図１４の（Ｂ）では左側）にボス部４４ａ、４４ｂが配置されている。突出部４５はドレンパン側接続口４２から突出するように形成されている。ボス部４４ａの取り付け用ねじ穴４８ａは、ドレンジョイント４０がドレン排出口（左）１４０に接続されて固定された場合に、ドレンホース１０をドレンジョイント４０に接続して固定するためのビスを挿入してねじ込むために用いられる。ボス部４４ｂの取り付け用ねじ穴４８ｂは、ドレンジョイント４０がドレン排出口（右）１５０に接続されて固定された場合に、ドレンホース１０をドレンジョイント４０に接続して固定するためのビスを挿入してねじ込むために用いられる。したがって、ドレンジョイント４０は、ドレン排出口（左）１４０とドレン排出口（右）１５０のいずれにドレンホース１０を接続する場合にも用いることができるように構成されている。なお、ドレンジョイント４０はドレン排出口（左）１４０とドレン排出口（右）１５０のいずれにキャップ２０を接続する場合にも用いることができる。上記の実施の形態では、図１４に示すようにドレンジョイント４０は成形された合成樹脂からなるが、板金等で金属加工された材料から構成されてもよい。
【００５８】
図１５は、本発明の一つの実施の形態としてドレンホース接続装置に用いられるホース押さえ部材を示す正面図（Ａ）および側面図（Ｂ）である。
【００５９】
図１５に示すように、ホース押さえ３０は、ドレンホース１０の外周面を挟んで支持することができるように、一方端が開口したほぼＵ字型形状を有し、他方端がドレンホース１０の外周面に密着するように形成されている。ホース押さえ３０の他方端には、ドレンジョイント４０に固定するためにビスが挿入される取り付け用穴３１が形成されている。
【００６０】
ところで、空気調和機（室内機）１００の据付工事の際には、本体の設置場所または設置位置、配管を室外に導く方法または形態等に対応するために、図５、図６および図７に示すように本体の背面部においてドレンホース１０が第１の介在部材としてのドレンジョイント４０を介して第１の排出口としてのドレン排出口（左）１４０に予め取り付けられている場合、ドレンホース１０を第２の排出口としてのドレン排出口（右）１５０に付け替える必要が生じる場合がある。すなわち、本体の設置時に設置位置の現場に応じてドレンホース１０をドレン排出口（左）１４０からドレン排出口（右）１５０に付け替える必要がある。このとき、図５、図８および図９に示すようにドレン排出口（右）１５０に接続された第２の介在部材としてのドレンジョイント４０からキャップ２０を取り外し、ビス５０（図１０）を外すことにより、ドレン排出口（左）１４０に接続されたドレンジョイント４０からドレンホース１０を取り外す。そして、ビス５０を用いて、ドレン排出口（右）１５０に接続されたドレンジョイント４０にドレンホース１０を取り付け、ドレン排出口（左）１４０に接続されたドレンジョイント４０にキャップ２０を取り付ける。このようにして本体の前面部側の構成部材を取り外すことなく、ドレンホースを付け替える作業を本体の背面部側で容易に行なうことができる。
【００６１】
なお、本体を据付設置した後でも、ドレンホース１０が第１の介在部材としてのドレンジョイント４０を介して第１の排出口としてのドレン排出口（左）１４０に予め取り付けられている場合、前面部側に位置づけられた第１の取り付け部としての取り付け用ねじ穴１６１からビス６０（図１０）を取り外すことによって、ドレンジョイント４０とともにドレンホース１０をドレン排出口（左）１４０から取り外すことができる。また、前面部側に位置づけられた第２の取り付け部としての取り付け用ねじ穴１６２からビス６０（図１２）を取り外すことによって、ドレンジョイント４０とともにキャップ２０をドレン排出口（右）１５０から取り外すことができる。そして、前面部側に位置づけられた取り付け用ねじ穴１６２にビス６０を取り付けることによって、ドレンジョイント４０とともにドレンホース１０をドレン排出口（右）１５０に取り付けることができる。また、前面部側に位置づけられた取り付け用ねじ穴１６１にビス６０を取り付けることによって、ドレンジョイント４０とともにキャップ２０をドレン排出口（左）１４０に取り付けることができる。このようにして、設置位置の現場に応じて、据付設置後でも本体の前面部側でドレンホース１０をドレン排出口（左）１４０からドレン排出口（右）１５０に付け替えることができる。
【００６２】
図１６は、本発明のもう一つの実施の形態として、図５に示す形態からドレンホースとキャップ部材とを入れ替えて接続した状態の空気調和機の室内機の背面部を示す斜視図である。
【００６３】
図１６に示すように、キャビネット１３０の背面部側の左側ではドレン排出口（左）１４０にキャップ２０が左後方に延びるように挿入されて固定されている。他方、キャビネット１３０の背面部側の右側ではドレン排出口（右）１５０にドレンホース１０が右後方に延びるように接続されて固定されている。
【００６４】
図１７は本発明のもう一つの実施の形態としてキャップ部材が入れ替えられて接続された状態の空気調和機の室内機の背面部の左側を拡大して示す部分拡大斜視図、図１８はその室内機の背面部側から見た左側面を室内機の部分断面とともに拡大して示す部分拡大左側面図である。
【００６５】
図１７と図１８に示すように、ドレンパン１６０に設けられたドレン排出口（左）１４０には第１の介在部材としてのドレンジョイント４０が接続されて固定されている。ドレンジョイント４０は空気調和機（室内機）１００本体の前面部側から背面部側へ延びるように配置されている。キャップ２０は、ドレンジョイント４０に挿入されて固定されて空気調和機（室内機）１００の背面部の左後方に延びるように配置されている。
【００６６】
図１９は本発明のもう一つの実施の形態としてドレンホースが入れ替えられて接続された状態の空気調和機の室内機の背面部の右側を拡大して示す部分拡大斜視図、図２０はその室内機の背面部側から見た右側面を室内機の部分断面とともに拡大して示す部分拡大右側面図である。
【００６７】
図１９と図２０に示すように、ドレンパン１６０に設けられたドレン排出口（右）１５０には第２の介在部材としてのドレンジョイント４０が接続されて固定されている。ドレンジョイント４０は空気調和機（室内機）１００本体の前面部側から背面部側へ延びるように配置されている。ドレンホース１０は、ホース押さえ３０を介在してドレンジョイント４０に接続されて固定されて空気調和機（室内機）１００の背面部の右後方に延びるように配置されている。この場合、図示されていないが、図１０で示されるものと上下逆にドレンジョイント４０を配置して、ビス５０がホース押さえ３０の取り付け用穴３１を通じてボス部４４ｂの取り付け用ねじ穴４８ｂに挿入されてねじ込まれることによって、ドレンホース１０がドレンジョイント４０に接続されて固定されている。ビス５０が挿入されるボス部４４ｂの取り付け用ねじ穴４８ｂの位置が上になるようにしてドレンジョイント４０にドレンホース１０が接続されるので、ビス５０の取り付け取り外しが簡単に行なわれるため、作業性が良好になる。
【００６８】
上記の実施の形態では、固着部材としてのビス６０がドレンパン１６０の側面側から取り付け用ねじ穴１６１または１６２に挿入されてねじ込まれることによって、ドレンジョイント４０はドレン排出口（左）１４０またはドレン排出口（右）１５０に接続固定されるとともに、ドレンパン１６０に固定されるが、これに限定されるものではない。取り付け用ねじ穴１６１または１６２と取り付け用穴４７の位置を変更することによって、固着部材としてのビス６０がドレンパン１６０の前面側から取り付け用ねじ穴に挿入されてねじ込まれるように構成してもよい。
【００６９】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正や変形を含むものである。
【図面の簡単な説明】
【００７０】
【図１】本発明の一つの実施の形態として空気調和機の室内機の概略的な外観を示す斜視図である。
【図２】本発明の一つの実施の形態としてドレンホースが接続されていない状態の空気調和機の室内機の背面部を示す斜視図である。
【図３】本発明の一つの実施の形態としてドレンホースが接続されていない状態の空気調和機の室内機の背面部の左側を拡大して示す部分拡大斜視図である。
【図４】本発明の一つの実施の形態としてドレンホースが接続されていない状態の空気調和機の室内機の背面部の右側を拡大して示す部分拡大斜視図である。
【図５】本発明の一つの実施の形態としてドレンホースとキャップ部材とが接続された状態の空気調和機の室内機の背面部を示す斜視図である。
【図６】本発明の一つの実施の形態としてドレンホースが接続された状態の空気調和機の室内機の背面部の左側を拡大して示す部分拡大斜視図である。
【図７】本発明の一つの実施の形態としてドレンホースが接続された状態の空気調和機の室内機の背面部側から見た左側面を室内機の部分断面とともに拡大して示す部分拡大左側面図である。
【図８】本発明の一つの実施の形態としてキャップ部材が接続された状態の空気調和機の室内機の背面部の右側を拡大して示す部分拡大斜視図である。
【図９】本発明の一つの実施の形態としてキャップ部材が接続された状態の空気調和機の室内機の背面部側から見た右側面を室内機の部分断面とともに拡大して示す部分拡大右側面図である。
【図１０】本発明の一つの実施の形態としてドレンホースが接続される空気調和機の室内機の背面部側から見た左側面を室内機の部分側面とともに分解して示す分解左側面図である。
【図１１】本発明の一つの実施の形態としてドレンホース接続装置を示す上面図（Ａ）、側面図（Ｂ）および背面図（Ｃ）である。
【図１２】本発明の一つの実施の形態としてキャップ部材が接続される空気調和機の室内機の背面部側から見た右側面を室内機の部分側面とともに分解して示す分解右側面図である。
【図１３】キャップ接続装置を示す上面図（Ａ）および側面図（Ｂ）である。
【図１４】本発明の一つの実施の形態として介在部材であるドレンジョイントを示す側面図（Ａ）、背面図（Ｂ）、上面図（Ｃ）および底面図（Ｄ）である。
【図１５】本発明の一つの実施の形態としてドレンホース接続装置に用いられるホース押さえ部材を示す正面図（Ａ）および側面図（Ｂ）である。
【図１６】本発明のもう一つの実施の形態としてドレンホースとキャップ部材とが接続された状態の空気調和機の室内機の背面部を示す斜視図である。
【図１７】本発明のもう一つの実施の形態としてキャップ部材が接続された状態の空気調和機の室内機の背面部の左側を拡大して示す部分拡大斜視図である。
【図１８】本発明のもう一つの実施の形態としてキャップ部材が接続された状態の空気調和機の室内機の背面部側から見た左側面を室内機の部分断面とともに拡大して示す部分拡大左側面図である。
【図１９】本発明のもう一つの実施の形態としてドレンホースが接続された状態の空気調和機の室内機の背面部の右側を拡大して示す部分拡大斜視図である。
【図２０】本発明のもう一つの実施の形態としてドレンホースが接続された状態の空気調和機の室内機の背面部側から見た右側面を室内機の部分断面とともに拡大して示す部分拡大右側面図である。
【符号の説明】
【００７１】
１０:ドレンホース、１１:接続口、１２:排出口、１３:首部、２０:キャップ、３０：ホース押さえ、３１:取り付け用穴、４０:ドレンジョイント、４１：管状基部、４２:ドレンパン側接続口、４３：ホース側接続口、４４ａ，４４ｂ：ボス部、４５：突出部、４６:突出端部、４７:取り付け用穴、４８ａ，４８ｂ：取り付け用ねじ穴、５０，６０：ビス、１００：空気調和機（室内機）、１１０:オープンパネル、１２０：前カバー、１３０:キャビネット、１４０:ドレン排出口（左）、１５０:ドレン排出口（右）、１６０:ドレンパン、１６１，１６２:取り付け用ねじ穴。 
【図１】
2005147433.tif 000003
【図２】
2005147433.tif 000004
【図３】
2005147433.tif 000005
【図４】
2005147433.tif 000006
【図５】
2005147433.tif 000007
【図６】
2005147433.tif 000008
【図７】
2005147433.tif 000009
【図８】
2005147433.tif 000010
【図９】
2005147433.tif 000011
【図１０】
2005147433.tif 000012
【図１１】
2005147433.tif 000013
【図１２】
2005147433.tif 000014
【図１３】
2005147433.tif 000015
【図１４】
2005147433.tif 000016
【図１５】
2005147433.tif 000017
【図１６】
2005147433.tif 000018
【図１７】
2005147433.tif 000019
【図１８】
2005147433.tif 000020
【図１９】
2005147433.tif 000021
【図２０】
2005147433.tif 000022